(57)【要約】【課題】  情報表示機能を有するレンズを用いたレンズ交換式システムにおいて、よりユーザーの利便性が高いレンズ表示を可能にする。【解決手段】  撮像装置に装着可能なレンズユニットは、情報を表示する表示手段と、表示手段の表示を制御するレンズ制御手段と、表示手段に表示可能な情報の項目の中から選択された項目を示す第１の情報を記憶する第１の記憶手段とを有する。表示手段の表示をオフにする場合、直前に表示手段に表示されている情報の項目を示す第１の情報を第１の記憶手段に記憶し、表示手段の表示をオンにする場合、第１の記憶手段に記憶されている第１の情報が示す項目の情報を表示手段に表示するよう制御する。【選択図】  図４
2016080732.tif 000002
【特許請求の範囲】
【請求項１】
撮像装置に装着可能なレンズユニットであって、
情報を表示する表示手段と、
前記表示手段の表示を制御するレンズ制御手段と、
前記表示手段に表示可能な情報の項目の中から選択された項目を示す第１の情報を記憶する第１の記憶手段と、を有し、
前記レンズ制御手段は、前記表示手段の表示をオフにする場合、直前に前記表示手段に表示されている情報の項目を示す前記第１の情報を前記第１の記憶手段に記憶し、前記表示手段の表示をオンにする場合、前記第１の記憶手段に記憶されている前記第１の情報が示す項目の情報を前記表示手段に表示するよう制御することを特徴とするレンズユニット。
【請求項２】
前記表示手段に表示する情報の項目が切り替えられた場合、前記レンズ制御手段は、切り替え後の項目に対応する情報を前記表示手段に表示するとともに、当該項目に対応する前記第１の情報を前記第１の記憶手段に記憶するよう制御することを特徴とする請求項１に記載のレンズユニット。
【請求項３】
撮像装置に装着可能なレンズユニットであって、
情報を表示する表示手段と、
装着された撮像装置との通信および前記表示手段の表示を制御するレンズ制御手段と、
前記表示手段に表示可能な情報の項目の中から選択された項目を示す第１の情報を記憶する第１の記憶手段と、を有し、
前記撮像装置の起動時において、前記レンズ制御手段は、装着された撮像装置から受信した情報に基づいて、前記撮像装置より指示された項目の情報を前記表示手段に表示するか、前記第１の記憶手段に記憶されている前記第１の情報が示す項目の情報を前記表示手段に表示するかを切り替えることを特徴とするレンズユニット。
【請求項４】
装着された撮像装置が前記第１の情報を記憶可能な第２の記憶手段を有しない場合、前記撮像装置の起動時において、前記レンズ制御手段は、前記第１の記憶手段に記憶されている前記第１の情報が示す項目の情報を前記表示手段に表示するよう制御することを特徴とする請求項３に記載のレンズユニット。
【請求項５】
前記レンズ制御手段は、前記撮像装置から受信した情報に基づいて、当該撮像装置が前記第２の記憶手段を有するか否かを判定することを特徴とする請求項４に記載のレンズユニット。
【請求項６】
装着された撮像装置が前記第２の記憶手段を有する場合、前記レンズ制御手段は、前記表示手段に表示可能な情報の項目を示す第２の情報を前記撮像装置に送信し、当該第２の情報に応じて前記撮像装置から送信される指示に基づいて、前記第１の記憶手段と前記撮像装置内の前記第２の記憶手段のいずれに記憶されている前記第１の情報が示す項目の情報を前記表示手段に表示するかを切り替えることを特徴とする請求項４または５に記載のレンズユニット。
【請求項７】
前記撮像装置内の前記第２の記憶手段に記憶されている前記第１の情報が示す項目が前記第２の情報と対応する場合、前記レンズ制御手段は、当該第２の記憶手段に記憶されている前記第１の情報を前記撮像装置から受信し、当該第１の情報が示す項目の情報を前記表示手段に表示するよう制御することを特徴とする請求項６に記載のレンズユニット。
【請求項８】
前記撮像装置内の前記第２の記憶手段に記憶されている前記第１の情報が示す項目が前記第２の情報と対応しない場合、前記レンズ制御手段は、前記第１の記憶手段に記憶されている前記第１の情報が示す項目の情報を前記表示手段に表示するよう制御することを特徴とする請求項６または７に記載のレンズユニット。
【請求項９】
前記撮像装置から前記第１の情報を要求する通知を受信した場合、前記レンズ制御手段は、前記表示手段に表示されている情報の項目に対応する前記第１の情報を前記撮像装置に送信することを特徴とする請求項３乃至８のいずれか１項に記載のレンズユニット。
【請求項１０】
前記レンズ制御手段は、表示する情報の項目を示す前記第１の情報を前記撮像装置に送信後、送信した前記第１の情報が示す項目の情報の取得に必要な第３の情報を前記撮像装置から受信し、当該第３の情報に基づいて、前記表示手段に表示する情報を取得することを特徴とする請求項３乃至９のいずれか１項に記載のレンズユニット。
【請求項１１】
前記表示手段に表示する情報の項目が切り替えられた場合、前記レンズ制御手段は、切り替え後の項目に対応する情報を前記表示手段に表示するとともに、当該項目を示す前記第１の情報を前記第１の記憶手段に記憶し、当該第１の情報を前記撮像装置に送信するよう制御することを特徴とする請求項３乃至１０のいずれか１項に記載のレンズユニット。
【請求項１２】
前記撮像装置から電源をオフにする通知を受信した場合に、前記レンズ制御手段は、最新の前記第１の情報を前記第１の記憶手段に記憶し、当該第１の情報を前記撮像装置に送信するよう制御することを特徴とする請求項３乃至１１のいずれか１項に記載のレンズユニット。
【請求項１３】
情報を表示する表示手段を備えたレンズユニットを装着可能な撮像装置であって、
装着されたレンズユニットとの通信を制御する制御手段と、
前記レンズユニットから受信する情報であって、前記レンズユニットの前記表示手段に表示可能な情報の項目の中から選択された項目を示す第１の情報を記憶する第２の記憶手段と、を有し、
前記撮像装置の起動時において、前記制御手段は、装着されたレンズユニットから第２の情報を受信し、当該受信した情報と前記第２の記憶手段に記憶されている前記第１の情報に基づいて、前記第２の記憶手段に記憶されている前記第１の情報が示す項目の情報を前記表示手段に表示するよう指示するか、前記レンズユニットが前記表示手段に表示する情報の項目を決定するよう指示するかを切り替えることを特徴とする撮像装置。
【請求項１４】
前記第２の情報は、前記表示手段に表示可能な情報の項目を示す情報であることを特徴とする請求項１３に記載の撮像装置。
【請求項１５】
前記第２の記憶手段に記憶されている前記第１の情報が示す項目が、受信した前記第２の情報と対応する場合、前記制御手段は、前記第２の記憶手段に記憶されている前記第１の情報が示す項目の情報を前記表示手段に表示するよう前記レンズユニットに指示することを特徴とする請求項１４に記載の撮像装置。
【請求項１６】
前記第２の記憶手段に記憶されている前記第１の情報が示す項目が、受信した前記第２の情報と対応しない場合、前記制御手段は、前記レンズユニットが前記表示手段に表示する情報の項目を決定するよう指示することを特徴とする請求項１４または１５に記載の撮像装置。
【請求項１７】
前記撮像装置の起動時において、前記制御手段は、前記第２の記憶手段を有することを示す情報を前記レンズユニットに送信後、前記レンズユニットから前記第２の情報を受信することを特徴とする請求項１３乃至１６のいずれか１項に記載の撮像装置。
【請求項１８】
前記制御手段は、前記レンズユニットから前記第１の情報を受信した場合、当該第１の情報が示す項目の情報の取得に必要な第３の情報を前記レンズユニットに送信することを特徴とする請求項１３乃至１７のいずれか１項に記載の撮像装置。
【請求項１９】
前記表示手段に表示する情報の項目が切り替えられたことが前記レンズユニットから通知された場合、前記制御手段は、切り替え後の項目を示す前記第１の情報を前記レンズユニットから受信し、当該第１の情報を前記第２の記憶手段に記憶するよう制御することを特徴とする請求項１３乃至１８のいずれか１項に記載の撮像装置。
【請求項２０】
前記制御手段は、前記撮像装置の電源をオフにする通知を前記レンズユニットに送信した場合に、最新の前記第１の情報を前記レンズユニットから受信し、当該第１の情報を前記第２の記憶手段に記憶するよう制御することを特徴とする請求項１３乃至１９のいずれか１項に記載の撮像装置。
【請求項２１】
撮像装置に装着可能で、情報を表示する表示手段と、前記表示手段に表示可能な情報の項目の中から選択された項目を示す第１の情報を記憶する第１の記憶手段を備えるレンズユニットの制御方法であって、
前記表示手段の表示をオフにする場合、直前に前記表示手段に表示されている情報の項目を示す前記第１の情報を前記第１の記憶手段に記憶し、
前記表示手段の表示をオンにする場合、前記第１の記憶手段に記憶されている前記第１の情報が示す項目の情報を前記表示手段に表示するよう制御することを特徴とするレンズユニットの制御方法。
【請求項２２】
撮像装置に装着可能で、情報を表示する表示手段と、前記表示手段に表示可能な情報の項目の中から選択された項目を示す第１の情報を記憶する第１の記憶手段とを備えるレンズユニットの制御方法であって、
装着された撮像装置との通信を制御するステップを有し、
前記撮像装置の起動時において、装着された撮像装置から受信した情報に基づいて、前記撮像装置より指示された項目の情報を前記表示手段に表示するか、前記第１の記憶手段に記憶されている前記第１の情報が示す項目の情報を前記表示手段に表示するかを切り替えることを特徴とするレンズユニットの制御方法。
【請求項２３】
情報を表示する表示手段を備えたレンズユニットを装着可能で、前記レンズユニットから受信する情報であって、前記レンズユニットの前記表示手段に表示可能な情報の項目の中から選択された項目を示す第１の情報を記憶する第２の記憶手段を備える撮像装置の制御方法であって、
装着されたレンズユニットとの通信を制御するステップを有し、
前記撮像装置の起動時において、装着されたレンズユニットから第２の情報を受信し、当該受信した情報と前記第２の記憶手段に記憶されている前記第１の情報に基づいて、前記第２の記憶手段に記憶されている前記第１の情報が示す項目の情報を前記表示手段に表示するよう指示するか、前記レンズユニットが前記表示手段に表示する情報の項目を決定するよう指示するかを切り替えることを特徴とする撮像装置の制御方法。
【発明の詳細な説明】
【技術分野】
【０００１】
本発明は、レンズ交換式システムにおける交換式のレンズユニット及び撮像装置に関する。
【背景技術】
【０００２】
従来、レンズ交換式のカメラに装着可能な交換レンズには、鏡筒部の外周に距離目盛や焦点距離目盛、画角情報が印字された部材が搭載されている。これは、現在のレンズの設定状況が一目で確認できるようにするためのものである。このように印字された部材を用いた方式では、あらかじめ印字されている特定の情報のみしか表示することができない。
【０００３】
一方で、撮影モードなどカメラの使い方が多岐化しており、撮影状況により撮影に必要な情報が異なることが想定される。そこで、ユーザーの使い勝手を良くするために、レンズの表示内容を動的に切り替え可能とすることが提案されている。
【０００４】
特許文献１では、電子ペーパあるいは液晶ディスプレイ等を用いた表示部をレンズ鏡筒に搭載し、現在設定されている交換レンズの距離情報等を表示する構成が開示されている。電子ペーパをレンズ表示に用いた場合、電力供給がなくても表示を維持できることが開示されている。また、特許文献１では、レンズの焦点距離や被写体距離、絞り値、画角情報等の表示項目を任意に切り換えることが可能である。
【先行技術文献】
【特許文献】
【０００５】
【特許文献１】特開２００７−７２４０７号公報
【発明の概要】
【発明が解決しようとする課題】
【０００６】
上述のような情報表示機能を備えたレンズを用いて撮影する際に、途中でユーザーがカメラの電源をオフにしたり、レンズを交換することが想定される。ユーザーの利便性を考慮すると、電源オフやレンズ交換の後でカメラを起動する際に、前回表示されていた項目と同じ項目の情報をレンズに表示することが好ましい。例えば、レンズ交換前に焦点距離の情報が表示されていた場合、ユーザーは交換後のレンズでも焦点距離の情報を確認することが想定される。
【０００７】
しかしながら、特許文献１では、レンズへの電源供給が遮断された場合に、単に電子ペーパの表示を維持することはできたとしても、次に電源が供給されると、予め定められた項目で表示データが生成されてレンズに表示される。つまり、特許文献１では、電源遮断前に表示されていた項目と同じ項目で次の起動時のレンズ表示を行うことについて開示されていない。そのため、ユーザーは、レンズ交換やカメラ電源オフなどの操作を行うたびに、表示される情報の項目を所望の項目に切り替える操作を逐一行う必要がある。
【０００８】
また、表示項目の切り替えを不要とするために、全項目の情報を同時に表示するような構成にすると、表示する情報を生成するための処理負荷が大きくなり、タイムリーな表示ができないおそれがある。
【０００９】
上記課題に鑑みて、本発明は、情報表示機能を有するレンズを用いたレンズ交換式システムにおいて、よりユーザーの利便性が高いレンズ表示を可能にすることを目的とする。
【課題を解決するための手段】
【００１０】
上記目的を達成するために、第１の本発明は、撮像装置に装着可能なレンズユニットであって、情報を表示する表示手段と、前記表示手段の表示を制御するレンズ制御手段と、前記表示手段に表示可能な情報の項目の中から選択された項目を示す第１の情報を記憶する第１の記憶手段と、を有し、前記レンズ制御手段は、前記表示手段の表示をオフにする場合、直前に前記表示手段に表示されている情報の項目を示す前記第１の情報を前記第１の記憶手段に記憶し、前記表示手段の表示をオンにする場合、前記第１の記憶手段に記憶されている前記第１の情報が示す項目の情報を前記表示手段に表示するよう制御することを特徴とする。
【００１１】
第２の本発明は、撮像装置に装着可能なレンズユニットであって、情報を表示する表示手段と、装着された撮像装置との通信および前記表示手段の表示を制御するレンズ制御手段と、前記表示手段に表示可能な情報の項目の中から選択された項目を示す第１の情報を記憶する第１の記憶手段と、を有し、前記撮像装置の起動時において、前記レンズ制御手段は、装着された撮像装置から受信した情報に基づいて、前記撮像装置より指示された項目の情報を前記表示手段に表示するか、前記第１の記憶手段に記憶されている前記第１の情報が示す項目の情報を前記表示手段に表示するかを切り替えることを特徴とする。
【００１２】
第３の本発明は、情報を表示する表示手段を備えたレンズユニットを装着可能な撮像装置であって、装着されたレンズユニットとの通信を制御する制御手段と、前記レンズユニットから受信する情報であって、前記レンズユニットの前記表示手段に表示可能な情報の項目の中から選択された項目を示す第１の情報を記憶する第２の記憶手段と、を有し、前記撮像装置の起動時において、前記制御手段は、装着されたレンズユニットから第２の情報を受信し、当該受信した情報と前記第２の記憶手段に記憶されている前記第１の情報に基づいて、前記第２の記憶手段に記憶されている前記第１の情報が示す項目の情報を前記表示手段に表示するよう指示するか、前記レンズユニットが前記表示手段に表示する情報の項目を決定するよう指示するかを切り替えることを特徴とする。
【発明の効果】
【００１３】
本発明によれば、情報表示機能を有するレンズを用いたレンズ交換式システムにおいて、よりユーザーの利便性が高いレンズ表示が可能になる。
【図面の簡単な説明】
【００１４】
【図１】本実施形態におけるレンズ交換式のカメラレンズシステムについて説明するブロック図。
【図２】本実施形態におけるレンズユニットの構成について説明する図。
【図３】本実施形態レンズ表示部に表示する切り替え可能な表示状態情報の例を示す図。
【図４】実施例１におけるレンズユニットの動作開始時の処理について説明する図。
【図５】実施例２におけるカメラの動作開始時の処理について説明する図。
【図６】実施例２におけるレンズユニットの動作開始時の処理について説明する図。
【図７】実施例２におけるカメラおよびレンズユニットの動作中の処理について説明する図。
【図８】実施例２におけるカメラおよびレンズユニットの電源オフ時の処理について説明する図。
【図９】レンズ表示部に表示可能な表示状態情報を示すリストのフォーマットの一例を説明する図。
【発明を実施するための形態】
【００１５】
以下に、本発明の好ましい実施の形態を、添付の図面に基づいて詳細に説明する。図１は、本発明の実施形態にかかわるカメラレンズシステムの構成を説明する図である。
【実施例１】
【００１６】
以下、図１を参照して、本発明の第１の実施例におけるレンズ交換式のカメラレンズシステムについて説明する。
【００１７】
図１に示すように、本実施形態のデジタルカメラ１００には、レンズマウント部１０を介してレンズユニット２００が着脱可能に装着されている。デジタルカメラ１００に装着可能なレンズユニット２００内には、フォーカスレンズ２０１、ズーム制御ユニット２０２、絞り２０３等を備えて構成される撮影光学系が含まれている。なお、図１では１枚のレンズが図示されているが、複数枚のレンズから構成されるレンズ群でもよい。撮影光学系を介して入射した光線が撮像素子１０２に導かれ、撮像素子１０２に光学像として結像する。
【００１８】
デジタルカメラ１００内（撮像装置内）の撮像素子１０２は、被写体の光学像を電気信号に変換し、シャッター１０１は、撮像素子１０２への露光量を制御する。Ａ／Ｄ変換部１０３は、撮像素子１０２から出力されるアナログ信号をデジタル信号に変換する。タイミング発生部１０９は、メモリ制御部１０５およびシステム制御部１１０にクロック信号および制御信号を供給する。
【００１９】
画像処理部１０４は、Ａ／Ｄ変換部１０３からのデータあるいはメモリ制御部１０５からのデータに対して所定の画素補完処理や色変換処理を行い、画像データの生成を行う。また、画像処理部１０４では、撮像した画像データを用いて所定の演算処理を行う。得られた演算結果に基づき、システム制御部１１０が露出制御部１１９、ＡＦ制御を行うＡＦ制御部１１８に対して制御命令を通知することで、ＡＥ、ＡＦ処理を実現する。
【００２０】
メモリ制御部１０５は、Ａ／Ｄ変換部１０３、タイミング発生部１０９、画像処理部１０４、画像表示メモリ１０６、メモリ１０７、圧縮・伸長回路１０８を制御する。Ａ／Ｄ変換部１０３からの出力データが画像処理部１０４、メモリ制御部１０５を介して、画像表示メモリ１０６、メモリ１０７に書き込まれる。画像表示部１２５は、ＬＣＤなどを用いて構成され、ＥＶＦの場合は、不図示の外部表示装置や画像表示部１２５を用いて撮像した画像データを逐次表示し、ＥＶＦ機能を実現する。メモリ１０７は、撮影した静止画像や動画像を格納する。メモリ１０７は、システム制御部１１０の作業領域としても使用する。
【００２１】
撮影光学系を通過した光によって形成された被写体像は、ミラー１１２ダウン時において、ミラー１１２および１１３を介して光学ファインダ１２４により観察可能である。
【００２２】
シャッター制御部１１１は、露出制御部１１９からの測光情報に基づいて、絞り２０３を制御する絞り制御部２０８と連携しながら、シャッター１０１を制御する。
【００２３】
ＡＦ制御部１１８は、ＡＦ処理を行う。撮影光学系を介して入射した光線を一眼レフ方式によってミラー１１２および不図示の測距用サブミラーを介してＡＦ制御部１１８内の測距部に入射させる。これにより、測距部において光学像として結像された画像の合焦状態を測定する、いわゆる位相差検出方式のＡＦ制御を行うことができる。ＥＶＦの場合、画像処理部１０４で生成した画像データのコントラスト成分を演算することによりＡＦを行う、いわゆるコントラスト方式のＡＦ処理や、撮像素子１０２に埋め込まれたＡＦ用の画素から出力された信号を用いた位相差検出方式によるＡＦ処理を行う。
【００２４】
露出制御部１１９は、ＡＥ処理を行う。撮影光学系を介して入射した光線を一眼レフ方式によってミラー１１２および１１３を介して露出制御部１１９の測光部に入射させて測光情報を得ることにより、露出制御部１１９は、光学像として結像された画像の露出状態を測定することができる。ＥＶＦの場合は、画像処理部１０４で生成された画像からシステム制御部１１０にて露出制御を行う。
【００２５】
露出制御部１１９は複数の測光モードを備えており、後述する操作部１１６によってユーザーが設定する測光モードで動作する。測光モードとしては、例えば、画面内の任意の領域に重みづけする評価測光モード、画面全体の明るさを平均して測光し露出量を制御する平均測光モードなどがあげられる。
【００２６】
システム制御部１１０は、デジタルカメラ全体の制御を司り、カメラ制御プログラムを実行する。シャッタースイッチ（ＳＷ１）１１４が操作されると、ＡＦ処理、ＡＥ処理、ＡＷＢ処理などの動作開始をシステム制御部１１０に指示する。シャッタースイッチ（ＳＷ２）１１５が操作されると、撮像素子１０２から読み出した信号をＡ／Ｄ変換部１０３、メモリ制御部１０５を介してメモリ１０７に書き込む露光処理を行う。また、ＳＷ２の操作に応じて、画像処理部１０４により画像データの記録処理の動作が開始される。生成された画像データは、外部メモリなどの記録部１２２に記録される。
【００２７】
操作部１１６は、各種ボタンやタッチパネル、電源オンオフボタンなどからなり、ユーザー操作により受け付けた指示をシステム制御部１１０に出力する。この操作部１１６でのユーザー操作により、上述した測光モードを、平均測光モード、評価測光モードなどに切り替えることが可能である。これら操作部１１６を介した入力操作を受けて、システム制御部１１０は、カメラが備える各種撮影モード、たとえば静止画撮影モード／動画撮影モードの切り替えを行う。あるいは、夜景モードなどの特殊シーン撮影モードの選択や、サーボＡＦなどのＡＦモードの切り替え操作に応じたカメラ制御を実行する。
【００２８】
シャッタースイッチＳＷ１もしくは操作部１１６の操作に応じて、システム制御部１１０は、ＡＦ動作を開始するようＡＦ制御部１１８を制御する。ＡＦ動作のモードとして、ＳＷ１がＯＮになったタイミングからＡＦ動作を開始するワンショットＡＦモード、ＳＷ１がＯＮになる前からＡＦ動作を開始するコンティニュアスＡＦモードなどがある。また、フォーカス対象を画面内の１つの領域に限定する測距枠固定モード、フォーカス対象を画面内の全体とする自動選択モード、画面内に存在する顔を検出して検出した顔をフォーカス対象とする顔検出モードを切り替えることが可能である。
【００２９】
カメラ内のＩ／Ｆ１２０およびレンズ内のＩ／Ｆ２１０は、デジタルカメラ１００とレンズユニット２００とを接続するためのインタフェースである。コネクタ２０を介してカメラ内のシステム制御部１１０とレンズ制御部２０５との間で電気信号を送ることで、制御情報や各種データ等を送受信することが可能となっている。
【００３０】
レンズ電源制御部１２１は、レンズユニット２００へ供給する電源を管理する。レンズ電源制御部１２１は、システム制御部１１０がレンズユニット２００の装着を検出したらレンズ電源の供給を行い、レンズユニット２００が取り外されたらレンズ電源の供給を遮断する。
【００３１】
カメラ電源制御部１１７は、外部電池や内蔵電池の管理を行う。電池が取り外された場合や電池残量がなくなった場合、カメラ電源制御部１１７は、カメラ制御の緊急遮断処理を行う。このとき、レンズ電源制御部１２１では、レンズユニット２００に供給する電源を遮断する。また、操作部１１６で電源オフ操作がなされた場合、システム制御部１１０は、レンズユニット２００を低消費モードに切り替えるための要求をＩ／Ｆ１２０を介してレンズ制御部２０５に通信する。
【００３２】
なお、図１にはメモリ領域としての表示情報記憶部１２３が図示されているが、本実施例では必須の構成ではないので説明を省略する。デジタルカメラ１００内の表示情報記憶部１２３については、実施例２で後述する。
【００３３】
次に、レンズユニット２００内の構成について説明する。絞り制御部２０８は、露出制御部１１９もしくはＥＶＦ時はシステム制御部１１０からの測光情報により演算した結果に基づいて得られた絞り制御情報を用いて、絞り２０３を制御する。絞り制御情報は、システム制御部１１０からコネクタ２０を介して受信される。ズーム制御部２０７は、ズーム制御ユニット２０２を制御する。フォーカス制御部２０６は、システム制御部から受信したフォーカス制御情報に基づいて、フォーカスレンズ２０１の移動を制御する。フォーカス制御情報は、上述した位相差検出方式やコントラスト方式のＡＦにより生成される。防振制御部２０９は、防振制御レンズ２０４を制御する。
【００３４】
レンズ制御部２０５は、レンズユニット２００全体の制御を司る。本実施例のレンズユニット２００には、たとえば液晶部材などの表示内容を切り替え可能なレンズ表示部２１３を備えている。表示制御回路２１２は、レンズ表示部２１３における表示のオンオフおよび起動時の表示を制御する。表示制御回路２１２への指示はレンズ制御部２０５が行う。また、レンユニットズ２００には操作部２１１を備え、操作部２１１を介して操作を行うことにより、レンズ表示部２１３の表示情報を切り替えることが可能である。
【００３５】
また、レンズユニット２００には、不揮発性のメモリである表示情報記憶部２１４を備えている。表示情報記憶部２１４には、レンズユニット２００への電源供給が遮断されても表示情報を維持するための情報を記憶することができる。本実施例では、レンズユニット２００への電源供給が遮断される直前にレンズ表示部２１３に表示していた内容を示す表示状態情報を表示情報記憶部２１４に記憶する。
【００３６】
表示制御回路２１２は、所定のタイミングで表示情報記憶部２１４にレンズ表示部２１３に表示している内容を示す表示状態情報の書き込みを更新するとともに、レンズ制御部２０５に伝搬する。
【００３７】
レンズ制御部２０５では不図示の揮発性メモリを備え、表示制御回路２１２から伝搬される表示状態情報を記憶する。また、レンズ制御部２０５は、システム制御部１１０から電源オフ要求を検出した場合、レンズ制御部２０５を構成するＣＰＵを低消費モードに遷移させる。このとき、揮発性メモリの情報が消失してしまう場合には、表示制御回路２１２に最新の表示状態情報を記憶するよう指示する。
【００３８】
次に、図２を参照して、本実施例におけるレンズユニット２００の構成について説明する。レンズユニット２００には、各種操作部材および表示部材が備えられている。
【００３９】
ズームリング２１５は、レンズユニット２００のズーム機構を手動で操作するための部材である。フォーカスリング２１６は、レンズユニット２００のフォーカス機構を手動で操作するためのフォーカスリングである。レンズ表示部２１３は、液晶モニターなどを用いて構成され、表示内容を可変に切り替えることが可能な表示部材である。なお、レンズ表示部２１３を構成する部材は、液晶に限定されず、例えば有機ＥＬディスプレイなどを用いてもよい。ＡＦ／ＭＦスイッチ２１７は、ＡＦとフォーカスリング２１６によるＭＦとを切り替えるためのスイッチである。
【００４０】
防振スイッチ２１８は、防振のオンオフ切り替えに加えて、各種防振モードの切り替えを可能とするためのスイッチである。
【００４１】
操作部２１１は、レンズ表示部２１３に表示している情報を切り替えるためのボタンスイッチである。なお、操作部２１１を構成する部材はボタンスイッチに限定されず、例えばダイヤル部材などを用いて構成してもよい。
【００４２】
次に、図３を参照して、本実施例におけるレンズ表示部２１３に表示する切り替え可能な表示状態情報の例を示す。
【００４３】
表示３００は、焦点距離情報を表示している状態である。焦点距離を示す目盛りを設けた表示にしてもよいし、焦点距離の数値をデジタル数値で表現してもよい。表示３０１は、被写界深度情報を表示している状態である。例えば絞りがＦ１１、Ｆ１６、Ｆ２２などに設定された場合の被写界深度の目盛りが示されている。表示３０２は、被写体距離情報を表示している状態であり、被写体距離の数値が表示される。
【００４４】
表示３０３は、カメラにおける焦点検出処理の結果得られる、検出した被写体のデフォーカス量を表示している状態である。ここでは、ピントのずれ具合をスケール等で示してもよいし、数値で表現してもよい。表示３０４は、マクロ機能を使用した場合のマクロ撮影倍率を表示している状態である。表示３０５は、手振れ情報を表示している状態であり、検出された手振れの量や方向などを表示する。なお、防振スイッチ２１８にて設定された防振モードに応じて表示内容をさらに切り替えてもよい。これらの表示メニューの切り替えは、ユーザーによる操作部２１１を介した操作によって行われる。
【００４５】
次に、図４を参照して、本実施例におけるレンズユニット２００の動作開始時の処理について説明する。レンズユニット２００をカメラに装着するか、カメラの電源をオンにすると、レンズ動作が開始されてステップＳ４００に遷移する。
【００４６】
ステップＳ４００では、レンズ制御部２０５は、表示情報記憶部２１４に記憶されている表示状態情報を読み出す。ステップＳ４０１では、レンズ制御部２０５は、ステップＳ４００で読み出した表示状態情報を表示制御回路２１２に通知し、レンズ表示部２１３の初期表示内容として表示を開始する。
【００４７】
ステップＳ４０２では、レンズ制御部２０５は、操作部２１１を介して表示内容の切り替え操作が行われたか否かを判定する。表示内容の切り替え操作が検出されたら、ステップＳ４０３へ遷移する。
【００４８】
ステップＳ４０３では、レンズ制御部２０５は、ステップＳ４０２で検出された操作に応じて切り替えられた表示内容の情報（表示状態情報）を表示制御回路２１２に指示する。ステップＳ４０４では、レンズ制御部２０５は、ステップＳ４０３で表示制御回路２１２に指示した表示状態情報を表示情報記憶部２１４に記憶する。
【００４９】
ステップＳ４０５では、レンズ制御部２０５は、レンズユニットへの電源供給が遮断されたか否かを判定する。電源が遮断された場合は、レンズ制御部２０５を含むレンズユニットの全ての動作が停止して、レンズ動作終了となる。電源が供給されている限りは本フローチャートを継続する。
【００５０】
ステップＳ４０６では、レンズ制御部２０５は、カメラのシステム制御部１１０からＩ／Ｆ１２０を介して省電力のためにスリープ状態にする通信指示がなされたかを判定する。スリープ状態では、レンズ表示部２１３の表示がオフになる。スリープ状態の指示があった場合、レンズ制御部２０５を動作させるＣＰＵをスリープ状態に切り替える。このとき、ステップＳ４０７にて、レンズ制御部２０５は、ＣＰＵをスリープさせる前の最新の表示状態情報を表示情報記憶部２１４に記憶する。その後、ＣＰＵをスリープ状態に切り換えて、レンズ表示部２１３の表示をオフにする。なお、スリープ状態から復帰すると、ステップＳ４００からの処理が再開され、レンズ表示部２１３の表示がオンになる。
【００５１】
以上説明したように、本実施例では、レンズユニットに表示している最新の表示状態をレンズ側の表示情報記憶部に記憶する。これにより、当該レンズユニットのＣＰＵがスリープ状態になった後でスリープ状態から復帰する場合に、前回の表示状態と同じメニューを維持してレンズ表示を復帰させることが可能となる。
【実施例２】
【００５２】
以下、本実施形態の第２の実施例について説明する。本実施例では、カメラとレンズの双方に表示状態情報を記憶する構成を備え、レンズ交換時などにカメラ内もしくはレンズ内に記憶した表示状態情報を用いて表示状態を復帰させる。
【００５３】
デジタルカメラおよびレンズユニットの構成について、実施例１と共通する部分については説明を省略する。図１において、カメラ内の表示情報記憶部１２３はメモリ領域であり、後述するレンズ表示部２１３に表示していた最終の（直近の）表示状態情報を記憶する。
【００５４】
本実施例では、レンズの表示状態が変更されるたびに、カメラ側の表示情報記憶部１２３の記憶情報も更新される。レンズ制御部２０５は、カメラ側のシステム制御部１１０からの表示状態情報を取得する要求を検出すると、揮発性メモリに記憶済みの表示状態情報を送信して応答する。実施例１で説明したように、コネクタ２０を介してカメラとレンズ間で通信を行うことで、レンズ表示部２１３に表示している表示状態情報や、表示復帰させたい表示状態情報のやりとりを行う。本通信におけるデータフォーマットは、図９を用いて後述する。
【００５５】
まず、図５および図６を用いて、カメラ起動時（動作開始時）におけるカメラ及びレンズユニットそれぞれの制御フローについて説明する。
【００５６】
まず、図５を用いたカメラ側の制御フローについて説明する。カメラが起動するとステップＳ５００に遷移し、レンズユニット２００の装着を確認する。
【００５７】
ステップＳ５０１では、システム制御部１１０は、レンズユニット２００に対して初期通信を行う。初期通信では、カメラが保持する機能情報をレンズユニットに送信し、レンズユニットが保持する機能情報をカメラが受信する。この処理を行うことにより、カメラとレンズ双方で対応する機能情報を共有する。
【００５８】
本実施例では、機能情報の一つとして、レンズ制御部２０５は、レンズユニットが表示機能を有するか（レンズ表示部２１３を備えるか）否かを示す情報をカメラへ送信する。また、システム制御部１１０は、レンズ表示部２１３への表示状態情報を記憶する手段（表示情報記憶部１２３）をカメラが有するか否かを示す情報をレンズ制御部２０５に通知する。なお、ステップＳ５０１の処理は、図６におけるステップＳ６００の処理に対応する。
【００５９】
ステップＳ５０２では、システム制御部１１０は、ステップＳ５０１の初期通信でレンズ制御部２０５から取得した情報に基づき、レンズユニット側に表示機能があるか（レンズ表示部２１３を備えるか）否かを判定する。表示機能がある場合にのみステップＳ５０３へ遷移し、表示機能がない場合には本フローを終了する。
【００６０】
ステップＳ５０３では、システム制御部１１０は、レンズユニット側が表示可能な表示状態情報（メニュー情報）のリスト情報をレンズ制御部２０５に要求し、情報を取得する。ここで取得される表示メニュー情報のフォーマットについては、図９を用いて後述する。なお、ステップＳ５０３の処理は、図６におけるステップＳ６０２の処理に対応する。
【００６１】
ステップＳ５０４では、カメラの表示情報記憶部１２３に記憶済みの表示状態情報が存在するか否かを判定する。記憶済みの表示状態情報が無ければステップＳ５０７へ遷移し、記憶済みの表示状態情報があればステップＳ５０５へ遷移する。
【００６２】
ステップＳ５０５では、ステップＳ５０３でレンズ制御部２０５から取得した、レンズユニット側が表示可能な表示状態情報のリストと、ステップＳ５０４で判定された、カメラに記憶済みの表示状態情報とを比較する。そして、システム制御部１１０は、レンズ制御部２０５から取得したリスト内に、カメラに記憶済みの表示状態情報が含まれるか否かを判定する。換言すると、システム制御部１１０は、カメラに記憶済みの表示状態情報をレンズユニット側が表示可能か否かを判定する。レンズ制御部２０５から取得したリスト内に、カメラに記憶済みの表示状態情報が含まれる場合はステップＳ５０６へ遷移し、含まれない場合はステップＳ５０７へ遷移する。
【００６３】
ステップＳ５０６に進んだ場合、カメラに記憶済みの表示状態情報の項目をレンズユニットで表示可能である。そこで、システム制御部１１０は、カメラに記憶済みの表示状態情報を示す情報をレンズ制御部２０５に通信して、該情報が示す表示状態情報を用いてレンズ表示部２１３への表示を開始するよう指示する。
【００６４】
一方、ステップＳ５０７に進んだ場合、カメラに記憶済みの表示状態情報の項目はレンズユニットで表示不可能である。そこで、システム制御部１１０は、レンズユニット側で決定した表示状態情報で表示を開始するようレンズ制御部２０５に通信で指示する。この場合、レンズユニット側の表示情報記憶部２１４に記憶されている表示状態情報を用いて表示を開始してもよいし、デフォルト画面により表示を開始してもよい。なお、ステップＳ５０６およびＳ５０７の処理は、図６におけるステップＳＳ６０３の処理に対応する。
【００６５】
次に、上記カメラの制御フローに対応するレンズユニットの制御フローを、図６を用いて説明する。図６では、レンズユニットをカメラに装着するなど、レンズユニットに電源が供給されるとステップＳ６００に遷移する。
【００６６】
ステップＳ６００では、レンズ制御部２０５は、カメラのシステム制御部１１０と初期通信を行う。これにより、レンズ制御部２０５は、レンズユニットがレンズ表示部２１３を持つか否かを示す情報をカメラに送信すること、カメラがレンズユニットの表示状態情報を記憶する表示情報記憶部１２３を持つか否かを示す情報を受信することができる。
【００６７】
ステップＳ６０１では、レンズ制御部２０５は、ステップＳ６００で受信した情報に基づいて、装着されたカメラがレンズの表示状態情報を記憶可能な記憶手段（表示情報記憶部１２３）を持っているか否かを判定する。表示情報記憶部１２３を持っている場合はステップＳ６０２へ、持っていない場合はステップＳ６０６へ遷移する。
【００６８】
ステップＳ６０２では、レンズ制御部２０５は、カメラからの通信要求を受け、レンズ表示部２１３に表示可能な表示状態情報のリスト情報をカメラに送信する。リスト情報を送信後、ステップＳ６０３において、レンズ制御部２０５は、レンズ表示部２１３に表示すべき情報がカメラから指示されるのを待つ。ここでは、カメラに記憶済みの表示状態情報（ステップＳ５０６）か、あるいはレンズユニット側で決定した表示状態情報（ステップＳ５０７）が指示される。
【００６９】
ステップＳ６０４では、レンズ制御部２０５は、ステップＳ６０３でカメラから指示された内容を判定する。カメラに記憶済みの表示状態情報が指示された場合は、ステップＳ６０５に進み、レンズ制御部２０５は、カメラから指示された表示状態情報によりレンズ表示部２１３への表示を開始する。一方、レンズユニット側で表示する情報を決めるよう指示された場合は、ステップＳ６０６に進む。ステップＳ６０６では、レンズ制御部２０５は、レンズ側の表示情報記憶部２１４に記憶された表示状態情報、あるいは予め決められた所定のデフォルト情報によりレンズ表示部２１３への表示を開始する。
【００７０】
以上説明した制御フローにより、カメラ動作開始時において、カメラに記憶済みの情報を用いてレンズ表示部２１３への表示を開始するか、レンズユニット側に記憶されている情報を用いて表示を開始するかを制御する。
【００７１】
ここで、ステップＳ５０３およびステップＳ６０２で通信する、レンズユニット側で表示可能な表示状態情報のリストのフォーマットについて、図９を用いて説明する。表９００は、レンズユニット側で表示可能な表示状態情報のリストのフォーマットの一例を示す。
【００７２】
表示可能な表示状態情報のリストは、表９００記載のＡ列、Ｂ列、Ｃ列から構成される。Ｄ列は説明の便宜上に添えたもので、システム制御部１１０とレンズ制御部２０５との間で直接授受しなくてよい。Ｄ列記載の情報９０１〜９０６は、交換レンズ製品群において実際にレンズ表示部２１３に表示されうる全ての項目を示している。
【００７３】
Ａ列は、Ｄ列記載の項目をインデックスで管理したものである。Ｂ列は、ある交換レンズ製品において、Ｄ列記載の表示情報のそれぞれに関して、表示する機能を有するか否かを示している。図９の例では、焦点距離情報９０１は表示に対応しているが、手振れ情報９０６は表示に対応していないことを示している。Ｂ列で「○」が記載されている項目は、図３における表示３００〜３０５に示した、レンズ表示部２１３に表示できるメニュー項目と対応する。さらには、将来拡張用に予約領域９０７や９０８が設けられており、将来のレンズで新規の表示項目を作成する場合には、この予約領域を使用することができる。
【００７４】
Ｃ列は、Ｄ列記載の表示情報をレンズ表示部２１３に表示するために必要なカメラ側の情報を示している。例えば、被写界深度情報９０２を表示する場合、被写界深度情報９０２を取得するためには、カメラ側の絞り設定情報が必要であることを示している。
上記ステップＳ５０３およびステップＳ６０２で通信する処理に置いては、｛Ａ列、Ｂ列、Ｃ列｝のテーブル情報をレンズ制御部２０５からカメラ側のシステム制御部１１０に通知する。そして、ステップＳ５０４で、カメラ内に記憶済みの表示状態情報が存在するかを判定するため、図９のフォーマットにおける表示メニューインデックス情報をカメラの表示情報記憶部１２３に記憶することとなる。なお、レンズユニット側から送信される表示可能な情報の項目やデータ形式などは、図９の例に限定されるものではない。
【００７５】
次に、図７を用いて、カメラおよびレンズユニットの動作中に、レンズ表示情報を切り替える際のカメラおよびレンズユニット双方の制御フローを説明する。カメラ側における動作中の制御フローを図７（Ａ）に、レンズユニット側における動作中の制御フローを図７（Ｂ）に示す。
【００７６】
まず、図７（Ａ）において、カメラ起動後にステップＳ７００で、システム制御部１１０は、現在レンズ表示部２１３に表示されている表示状態を示す情報をレンズ制御部２０５から通信で取得する。ここで通信される情報は、図９で説明した上記フォーマットの表示メニューインデックスを用いて表現される。なお、ステップＳ７００の処理は、図７（Ｂ）におけるステップＳ７０６の処理と対応する。
【００７７】
ステップＳ７０１では、システム制御部１１０は、ステップＳ７００で取得した表示メニューインデックスに対応する、必要なカメラ情報（図９フォーマットにおけるＣ列の情報）の有無を判定する。レンズユニット側が必要とするカメラ情報があればステップＳ７０２へ進み、必要とするカメラ情報がなければステップＳ７０３へ進む。
【００７８】
ステップＳ７０２では、システム制御部１１０は、必要と判定した所定のカメラ情報をレンズ制御部２０５へ送信する。なお、ステップＳ７０２の処理は、図７（Ｂ）におけるステップＳ７０８の処理に対応する。
【００７９】
ステップＳ７０３では、システム制御部１１０は、レンズ制御部２０５から表示状態の切り替えの通知があったか否かを判定する。何らかの切り替えがなされたことを判定したら、ステップＳ７０４へ進み、レンズ制御部２０５から切り替え後の表示状態情報を取得する。なお、ステップＳ７０４の処理は、図７（Ｂ）におけるステップＳ７１２の処理に対応する。
【００８０】
ステップＳ７０５では、システム制御部１１０は、ステップＳ７０４で取得した表示状態情報を表示情報記憶部１２３に記憶する。
【００８１】
次に、図７（Ａ）のカメラ側の制御フローに対応するレンズユニット側の制御フローを、図７（Ｂ）を用いて説明する。
【００８２】
まず、ステップＳ７０６で、レンズ制御部２０５は、カメラ側のシステム制御部１１０から表示状態情報の取得要求があったか否かを判定する。カメラ側からの取得要求があればステップＳ７０７へ進み、取得要求がなければステップＳ７０８へ進む。ステップＳ７０７では、レンズ制御部２０５は、現在レンズ表示部２１３に表示中の表示状態情報をカメラ側のシステム制御部１１０に応答する。
【００８３】
ステップＳ７０８では、レンズ制御部２０５は、現在レンズ表示部２１３に表示中の表示状態情報について、カメラ側の情報が必要か否かを判定する。具体的には、図９の表におけるＣ列を参照して、必要な情報があるか否かを判定する。レンズ表示についてカメラ側の情報が必要であると判定した場合にはステップＳ７０９へ進み、必要ないと判定した場合にはステップＳ７１０へ進む。ステップＳ７０９では、レンズ制御部２０５は、カメラから送信されてくる所定のカメラ情報（図９におけるＣ列の情報）を受信する。
【００８４】
ステップＳ７１０では、レンズ制御部２０５は、操作部２１１を介した操作などにより、表示状態の切り替え要求があったか否かを判定する。レンズ表示状態の切り替え要求があったならば、ステップＳ７１１に進み、レンズ制御部２０５は、レンズ表示部２１３の表示状態を切り替える。また、レンズ制御部２０５は、表示状態を切り替えたことをシステム制御部１１０へ通知する。
【００８５】
次に、ステップＳ７１２で、レンズ制御部２０５は、ステップＳ７１０で切り替えた表示状態情報をレンズユニット内の表示情報記憶部２１４に記憶する。ステップＳ７１３では、レンズ制御部２０５は、ステップＳ７１１で切り替えた表示状態情報をカメラ側のシステム制御部１１０へ送信する。
【００８６】
以上説明したように、本実施例では、操作部２１１を介してレンズ表示部２１３の表示状態を切り替えた場合に、切り替えた表示状態情報をレンズ側の表示情報記憶部２１４に記憶するとともに、カメラ側に最新の表示状態情報を送信する。
【００８７】
次に、図８を用いて、カメラの電源オフ時にレンズ表示情報を切り替える際のカメラおよびレンズユニット双方の制御フローを説明する。カメラ側における動作中の制御フローを図８（Ａ）に、レンズユニット側における動作中の制御フローを図８（Ｂ）に示す。
【００８８】
まず、図８（Ａ）において、ステップＳ８００で、システム制御部１１０は、ユーザー操作などにより、カメラの電源をオフにする要求があったか否かを判定する。電源オフ要求があった場合はステップＳ８０１へ進み、システム制御部１１０は、レンズ制御部２０５への電源オフ要求を送信する。なお、ステップＳ８０１の処理は、図８（Ｂ）におけるステップＳ８０４の処理と対応する。
【００８９】
ステップＳ８０２では、システム制御部１１０は、レンズ制御部２０５から送信される最終表示状態情報を取得する。なお、ステップＳ８０２の処理は、図８（Ｂ）におけるステップＳ８０７の処理に対応する。
【００９０】
ステップＳ８０３では、システム制御部１１０は、ステップＳ８０２で取得した表示状態情報をカメラの表示情報記憶部１２３に記憶し、カメラの電源をオフにする。
【００９１】
次に、図８（Ａ）のカメラ側の制御フローに対応するレンズユニット側の制御フローを、図８（Ｂ）を用いて説明する。
【００９２】
まず、ステップＳ８０４で、レンズ制御部２０５は、カメラ側のシステム制御部１１０からのレンズ電源オフ要求を受信する。レンズ電源オフ要求を受信すると、ステップＳ８０５に進み、レンズ制御部２０５は、操作部２１１が操作中であるか否かを判定する。操作部２１１を操作中であればステップＳ８０６に進み、操作中でなければステップＳ８０７に進む。
【００９３】
ステップＳ８０６では、レンズ制御部２０５は、表示状態の更新情報をレンズ内の表示情報記憶部２１４に記憶する。ステップＳ８０７では、レンズ制御部２０５は、カメラへ最新の表示状態情報（最終表示状態情報）を送信する。ここで、ステップＳ８０５で表示状態が切り替えられていれば、切り替えられた表示状態情報をカメラへ送信することになる。そして、レンズ制御部２０５はＣＰＵをスリープ状態にする。
【００９４】
なお、上述のステップＳ８０５で操作部２１１を介して表示状態が切り替えられた場合のみ、ステップＳ８０７で最新の表示状態情報をレンズ側からカメラ側に送るようにしてもよい。
【００９５】
以上説明したように、操作部２１１を介してレンズ表示部２１３の表示状態を切り替えている最中にカメラの電源をオフされた場合に、レンズ側およびカメラ側の表示情報記憶部に最新の表示状態情報を記憶する。カメラおよびレンズユニットの動作中においては、上述した図７（Ａ）および（Ｂ）の制御フローを繰り返し、カメラの電源がオフされた場合に、図８（Ａ）および（Ｂ）の制御フローが実行される。
【００９６】
例えば、表示情報記憶部１２３を有するカメラＡに対して、レンズ表示部２１３を有するレンズＡが装着された状態で電源をオフにして、同じくレンズ表示部２１３を有するレンズＢに交換する場合を想定する。電源をオフにする際に、カメラＡの表示情報記憶部１２３には、レンズＡの最終の表示状態情報が記憶される。そして、レンズＢが装着されて電源がオンになると、カメラＡは、レンズＢから表示可能な表示状態情報のリストを受信する。カメラＡに記憶されている表示状態情報がレンズＢから受信したリスト内にある場合は、カメラＡに記憶されている表示状態情報を用いてレンズＢの表示を行う。一方、カメラＡに記憶されている表示状態情報がレンズＢから受信したリスト内にない場合は、レンズＢで決定された表示状態情報を用いてレンズＢの表示を行う。
【００９７】
以上説明したように、本実施例では、レンズユニットに表示している最新の表示状態をレンズ側およびカメラ側双方の表示情報記憶部に記憶する。これにより、カメラに対してレンズユニットの着脱が行われた場合に、着脱前と異なるレンズが装着されても、着脱前のレンズと同じ状態情報を表示する機能を有するレンズであれば、表示されるメニュー状態を維持することが可能となる。
【００９８】
（他の実施形態）
本発明の目的は以下のようにしても達成できる。すなわち、前述した実施形態の機能を実現するための手順が記述されたソフトウェアのプログラムコードを記録した記憶媒体を、システムまたは装置に供給する。そしてそのシステムまたは装置のコンピュータ（またはＣＰＵ、ＭＰＵ等）が記憶媒体に格納されたプログラムコードを読み出して実行する。この場合、記憶媒体から読み出されたプログラムコード自体が本発明の新規な機能を実現することになり、そのプログラムコードを記憶した記憶媒体および制御プログラムは本発明を構成することになる。
【００９９】
また、プログラムコードを供給するための記憶媒体としては、例えば、フレキシブルディスク、ハードディスク、光ディスク、光磁気ディスクなどが挙げられる。また、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ−Ｒ、磁気テープ、不揮発性のメモリカード、ＲＯＭ等も用いることができる。
【０１００】
また、コンピュータが読み出したプログラムコードを実行可能とすることにより、前述した各実施形態の機能が実現される。さらに、そのプログラムコードの指示に基づき、コンピュータ上で稼動しているＯＳ（オペレーティングシステム）等が実際の処理の一部または全部を行い、その処理によって前述した各実施形態の機能が実現される場合も含まれる。
【０１０１】
更に、以下の場合も含まれる。まず記憶媒体から読み出されたプログラムコードが、コンピュータに挿入された機能拡張ボードやコンピュータに接続された機能拡張ユニットに備わるメモリに書き込まれる。その後、そのプログラムコードの指示に基づき、その機能拡張ボードや機能拡張ユニットに備わるＣＰＵ等が実際の処理の一部または全部を行う。
【０１０２】
また、本発明はビデオカメラのような撮影を主目的とした機器に限定されず、携帯電話、パーソナルコンピュータ（ラップトップ型、デスクトップ型、タブレット型など）、ゲーム機など、焦点調節装置を内蔵もしくは外部接続する任意の機器に適用可能である。従って、本明細書における「撮像装置」は、撮像機能を備えた任意の電子機器を包含することが意図されている。以上、本発明の好ましい実施例について説明したが、本発明は上記実施例に限定されず、その要旨の範囲内で種々の変形及び変更が可能である。
【符号の説明】
【０１０３】
１００  デジタルカメラ
１１０  システム制御部
１２３  表示情報記憶部
２００  レンズユニット
２０５  レンズ制御部
２１１  操作部
２１２  表示制御回路
２１３  レンズ表示部
２１４  表示情報記憶部
【図１】
2016080732.tif 000003
【図２】
2016080732.tif 000004
【図３】
2016080732.tif 000005
【図４】
2016080732.tif 000006
【図５】
2016080732.tif 000007
【図６】
2016080732.tif 000008
【図７】
2016080732.tif 000009
【図８】
2016080732.tif 000010
【図９】
2016080732.tif 000011